(57)【特許請求の範囲】
【請求項１】
生体試料である検体に所定の試薬を添加し収容する反応容器と、
前記反応容器毎に設置された測定部と、
緊急検体を受け付ける緊急検体受付処理部を有し、前記測定部により測定される通常検体に対し、予め設定された通常検体測定スケジュールを、前記緊急検体受付処理部より入力される緊急検体数及び/又は緊急検体計測時間に基づき、少なくとも、前記緊急検体が測定部に搬送される前に、当該緊急検体を含む通常検体測定スケジュールを作成する制御装置と、を備えることを特徴とする自動分析システム。
【請求項２】
請求項１に記載の自動分析システムにおいて、
前記制御装置は、
前記反応容器と対をなす計測部を有する測定ポートを複数有する反応容器測定ポートと、
少なくとも、前記通常検体を特定する検体ＩＤ、分析項目、及び分析時間を、予め対応付けて格納する検体情報データベースと、を備え、
前記検体情報データベースを参照し、前記各測定ポートにおける通常検体測定スケジュールを予め設定することを特徴とする自動分析システム。
【請求項３】
請求項２に記載の自動分析システムにおいて、
前記緊急検体受付処理部は、緊急検体数、前記緊急検体に対する分析項目、及び、前記緊急検体の分析開始予定時刻を受け付けることを特徴とする自動分析システム。
【請求項４】
請求項３に記載の自動分析システムにおいて、
前記分析項目は、少なくとも、血液凝固時間測定のための血液凝固項目及び生化学分析を含み、
前記制御装置は、前記測定ポート毎に、前記通常検体の分析終了時刻を求め、当該求めた通常検体の分析終了時刻が前記緊急検体の分析開始予定時刻前となる測定ポートを抽出し、前記通常検体測定スケジュールを作成することを特徴とする自動分析システム。
【請求項５】
請求項４に記載の自動分析システムにおいて、
前記制御装置は、前記緊急検体の分析前に実行すべき、少なくともバーコード貼付を含む前準備作業を受け付ける緊急検体前処理登録部を備え、
前記緊急検体前処理登録部より受け付けた前記前準備作業に要する時間及び、前記測定ポート毎の通常検体分析終了時刻に基づき、前記緊急検体分析開始予定時刻の推奨時刻を表示装置に表示することを特徴とする自動分析システム。
【請求項６】
請求項４に記載の自動分析システムにおいて、
前記求めた通常検体の分析終了時刻が前記緊急検体の分析開始予定時刻前となる測定ポート数が、前記緊急検体の分析に必要な測定ポート数を超える場合、前記制御装置は、前記測定ポート数の差分に応じた測定ポートに対し、他の通常検体の測定スケジュールを割り付けることを特徴とする自動分析システム。
【請求項７】
生体試料である検体に所定の試薬を添加し収容する反応容器と、
前記反応容器毎に設置された測定部と、
緊急検体を受け付ける緊急検体受付処理部を有し、前記測定部により測定される通常検体に対し、前記緊急検体受付処理部より入力される緊急検体数及び／又は緊急検体計測時間に基づき、少なくとも前記緊急検体が測定部に搬送される前に、当該緊急検体を含む通常検体測定スケジュールを作成する制御装置と、を備えることを特徴とする自動分析システム。
【発明の詳細な説明】
【技術分野】
【０００１】
本発明は、血液、尿などの試料の定性・定量を行う自動分析システムに関し、特に、個々の測定を独立して行う測定ポートを有し、血液凝固時間測定等を行う自動分析システム及び自動分析方法に関するものである。
【背景技術】
【０００２】
近年、臨床検査の分野では、緊急検査の結果報告時間の短縮が求められている。このニーズに対応するため、各種自動分析装置では、検体を緊急度に応じて通常検体と緊急検体に区分して管理し、緊急検体が依頼された場合には、投入順に測定される通常検体を追い越して優先的にサンプリングを開始させることで、結果報告までの時間の短縮を図っている。  
例えば、特許文献１には、複数の検体容器を収容する検体ラックを複数搬送可能な検体搬送機構を備え、検体搬送機構上に既に設置された複数の検体ラックを後退させ、先頭に緊急検体ラックを設置可能とする構成が開示されている。  
また、特許文献２には、略円弧状に複数の反応容器を配し、反応容器毎に透過光を測定する測定部を備え、血液凝固反応過程を同時に計測する構成が開示されている。
【先行技術文献】
【特許文献】
【０００３】
【特許文献１】特開２０１０−１８１３８４号公報
【特許文献２】特開２０００−３２１２８６号公報
【発明の概要】
【発明が解決しようとする課題】
【０００４】
特許文献１では、検体搬送機構において緊急検体ラックをその先頭に設置可能とする構成が開示されるものの、測定部における通常検体計測との関係についての開示は無く、通常検体に緊急検体が混在する状況での計測処理についは考慮されていない。従って、特許文献１に記載される構成では、不要に通常検体計測の遅延を招く恐れがある。  
また、特許文献２では、複数の検体を同時に計測する構成であるものの、緊急検体計測に関する記載は無く、仮に、緊急検体計測が必要となる場合には、対をなす反応容器と測定部を所定数緊急検体用に予め確保しなければならず、通常時における自動分析装置のスループットの低下を招く恐れがある。また、自動分析装置全体での大型化が避けられない。  
そこで本発明は、個々の測定を独立して行う測定ポートを有する自動分析システムにおいて、通常検体の分析スループットを維持しつつ、緊急検体への対応を可能とする自動分析システム及び自動分析方法を提供することにある。
【課題を解決するための手段】
【０００５】
上記課題を解決するため、本発明の自動分析システムは、生体試料である検体に所定の試薬を添加し収容する反応容器と、前記反応容器毎に設置された測定部と、緊急検体を受け付ける緊急検体受付処理部を有し、前記測定部により測定される通常検体に対し、予め設定された通常検体測定スケジュールを、前記緊急検体受付処理部より入力される緊急検体数及び/又は緊急検体計測時間に基づき、少なくとも、前記緊急検体が測定部に搬送される前に、当該緊急検体を含む通常検体測定スケジュールを作成する制御装置と、を備えることを特徴とする。  
また、本発明の自動分析システムは、生体試料である検体に所定の試薬を添加し収容する反応容器と、前記反応容器毎に設置された測定部と、緊急検体を受け付ける緊急検体受付処理部を有し、少なくとも、前記緊急検体受付処理部より入力される緊急検体の計測時間、緊急検体数及び、予め設定された通常検体測定スケジュールに基づき、前記受け付けられた緊急検体を前記測定部へ搬送し、直ちに計測可能か否かを判定する制御装置と、を備え、前記制御装置は、判定結果を表示装置に出力することを特徴とする。  
更にまた、本発明の自動分析方法は、生体試料である検体に所定の試薬を添加し収容する反応容器と、前記反応容器毎に設けられた測定部よりなる測定ポートを複数備え、前記測定ポート毎に所定の分析項目の測定を行う自動分析方法であって、緊急検体が受け付けられると、前記測定ポート毎に通常検体の分析終了時刻を算出し、前記緊急検体の分析開始予定時刻と前記算出された測定ポート毎の分析終了時刻とを比較し、前記緊急検体の分析開始予定時刻以下となる測定ポート数を抽出し、前記抽出された測定ポート数が前記緊急検体数を超える場合、当該差分に応じた測定ポートに通常検体の分析を割り付けることを特徴とする。
【発明の効果】
【０００６】
本発明によれば、個々の測定を独立して行う測定ポートを有する自動分析システムにおいて、通常検体の分析スループットを維持しつつ、緊急検体への対応を可能とする自動分析システムを提供することが可能となる。
【０００７】
上記した以外の課題、構成及び効果は、以下の実施形態の説明により明らかにされる。
【図面の簡単な説明】
【０００８】
【図１】本発明の一実施形態に係る自動分析システムの全体構成図である。
【図２】図１の自動分析システムにおける制御装置の概略構成図である。
【図３】図２に示す制御装置の機能ブロック図である。
【図４】検体情報データベース（ＤＢ）に格納される情報の一例を示す図である。
【図５】測定スケジュールデーダベース（ＤＢ）に格納される情報の一例を示す図である。
【図６】本発明の一実施例に係る実施例１による緊急検体設置時刻の予約画面の表示例である。
【図７】緊急検体設置前に行う準備作業設定画面の表示例である。
【図８】図７に示す設定された準備作業に基づき緊急検体設置予定時刻を推奨表示する画面の表示例である。
【図９】制御装置の処理フローであって、緊急検体割り込みによる通常検体分析可否判定処理フロー図である。
【図１０】緊急検体到着時における各測定ポートでの分析状況を示すタイミングチャートである。
【図１１】通常検体分析継続時における各測定ポートでの分析状況を示すタイミングチャートである。
【図１２】リスケジューリング後における緊急検体到着時の各測定ポートでの分析状況を示すタイミングチャートである。
【図１３】緊急検体設置予定時刻登録後の通常検体分析割付の状況を示すタイミングチャートである。
【図１４】緊急検体設置予定時刻登録後の通常検体分析割付の状況を示すタイミングチャートである。
【図１５】緊急検体設置予定時刻登録後の通常検体分析割付の状況を示すタイミングチャートである。
【図１６】緊急検体設置予定時刻登録後の通常検体分析割付の状況を示すタイミングチャートである。
【図１７】緊急検体の設置が登録された緊急検体設置予定時刻を超過する場合における通常検体分析割付の状況を示すタイミングチャートである。
【図１８】本発明の他の実施例に係る実施例２による緊急検体設置時刻の予約画面の表示例である。
【図１９】制御装置の処理フローであって、緊急検体着手可能時刻を求める処理フロー図である。
【図２０】緊急検体到着予定時刻における各測定ポートでの分析状況を示すタイミングチャートである。
【発明を実施するための形態】
【０００９】
図１は、本発明の一実施形態に係る自動分析システムの全体構成図である。図１に示すように、自動分析システム１は、血液凝固時間等を測定する自動分析装置２、自動分析装置２を制御する制御装置３、反応容器移送機構制御部４、検体分注制御部５、試薬分注制御部６、及びＡ／Ｄ変換器７より構成される。  
自動分析装置２は、複数の反応容器２２が設置され反応容器２２毎に設けられた検出部２１を有する反応容器測定ポート２０、複数の反応容器２２が収容される反応容器供給部２３、反応容器２２を移送する反応容器移送機構２５、試薬昇温機能付き試薬分注機構２６、測定後の反応容器２２を廃棄するための反応容器廃棄部２７、複数の検体容器４１を収容する検体ディスク４０、検体分注機構２８、及び複数の試薬容器４３を収容する試薬ディスク４２を備える。ここで、反応容器２２として、ディスポーザブル反応容器が用いられ、検体間でのコンタミが防止される。また、検体に対する分析項目として、血液凝固時間測定が含まれる場合では、反応容器２２内にフィブリンによる血餅の固化が生じるため、反応容器２２をディスポーザブル反応容器とすることが望ましい。なお、図１では反応容器測定ポート２０に設置される反応容器２２の数を一例として５個の場合を示しているが、これに限られず、反応容器測定ポート２０への反応容器２２の配置数を所望の個数に増減させても良い。また、図１では、反応容器測定ポート２０は、複数の反応容器２２を１ライン上に配置する構成を示すが、これに限られず、円環状に複数の反応容器２２を配するディスク状の構成としても良い。
【００１０】
次に、自動分析装置２の動作について説明する。反応容器測定ポート２０に測定可能な空ポートが存在すると、反応容器移送機構２５は、反応容器移送機構制御部４からの指令に応じて、未使用の複数の反応容器２２を収容する反応容器供給部２３上を２次元的に移動する。反応容器移送機構２５は、所望の未使用の反応容器２２の直上に到達すると、一旦停止し、続いて当該反応容器２２を把持するために下方へと下降する（図１において奥行方向へ移動）。未使用の反応容器２２を把持した後、反応容器移送機構２５は、上昇し再び２次元的に移動し把持された反応容器２２を検体分注ポジション２４に設置する。その後、反応容器移送機構２４は、所定の待機位置へと戻る。なお、図１では、反応容器移送機構２５がロボットアームで構成される場合を示すが、これは、反応容器供給部２３が複数の反応容器２２をＸ，Ｙ方向に２次元配列し収容する構成であることによる。従って、この構成に代えて、円環状に未使用の複数の反応容器２２を収容する反応容器供給部２３を用いる場合には、後述する検体分注機構２８と同様に円弧状の起動に沿って回動するよう反応容器移送機構２５を構成しても良い。  
検体分注ポジション２４に反応容器２２が設置されると、検体分注機構２８は、検体ディスク４０に収容される複数の検体容器４１の中から、測定対象となる検体を収容する検体容器４１の直上へ、検体分注制御部５の指令に応じて、図１の破線円弧に示される軌道に沿って回動する。その後、検体分注機構２８は、所定量の検体を吸引し、検体分注ポジション２４に設置された反応容器２２の直上へと回動し、当該反応容器２２内へ所定量の検体を吐出する。
【００１１】
検体が分注された反応容器２２は、反応容器移送機構２５により検出部２１を有する反応容器測定ポート２０のうち、空いている反応容器測定ポート２０へ移送される。反応容器測定ポート２０は、図示しない加温機構を備えており、反応容器測定ポート２０に移送された反応容器２２内の検体は３７℃まで昇温される。また、試薬分注機構２６は、試薬分注制御部６の指令に応じて、上記反応容器測定ポート２０へ移送された検体に対する分析項目に応じた試薬を収容する試薬容器４２の直上へと移動する。ここで、試薬分注機構２６は、図示しない試薬昇温機能を備えており、試薬容器４２より所定量吸引した後、試薬を３７℃にプリヒート（昇温）する。試薬分注機構２６により、吸引され、３７℃にプリヒートされた試薬は、反応容器測定ポート２０に移送され、３７℃まで昇温された検体を収容する反応容器２２へ吐出される。このとき、試薬吐出勢い、すなわち、試薬分注機構２６による試薬吐出圧により、反応容器２２内の検体と試薬は攪拌され混合される。  
ここで、例えば、反応容器２２内で試薬と混合された検体に対する分析項目が、血液凝固時間測定である場合、検出部２１による血液凝固時間測定が開始される。検出部２１は、例えば、ＬＥＤ等、所望の波長の照射光を反応容器２２へ照射する光源、光源からの照射光により試薬と混合された検体から発する散乱光あるいは透過光を検出する受光部（測定部）から構成される。以下では、散乱光測定方式により血液凝固時間を測定する場合を例に説明するが、透過光測定方式、又は、吸光度測定方式等、その他所望の測定方式を採用することができる。  
検出部２１により測定された散乱光は、Ａ／Ｄ変換器７によってデジタル信号に変換され、測定値として制御装置３へ送信される。なお、血液凝固時間測定についての詳細は後述する。血液凝固時間測定が完了すると、反応容器移送制御部４の指令により、反応容器移送機構２５は、待機位置から、反応容器測定ポート２０中の血液凝固時間測定が完了した反応容器２２の直上へと移動する。その後、反応容器移送機構２５は、測定完了後の反応容器２２を把持し、反応容器廃棄部２７へと移動し、当該反応容器２２を廃棄する。測定完了後の反応容器２２が廃棄されると、反応容器測定ポート２０には空ポートが確保されるため、当該空きポートを用いて次の検体に対する分析が実行される。
【００１２】
次に、図１に示す制御装置の構成について説明する。図２は、図１の自動分析システム１における制御装置３の概略構成図である。制御装置３は、プロセッサ３０、測定スケジュールデータベース（以下、測定スケジュールＤＢ）３１、検体情報データベース（以下、検体情報ＤＢ）３２、記憶装置３３、Ｉ／Ｏインターフェース（ＩＦ）３４、通信インターフェース（ＩＦ）３５、これらを相互に接続する内部バス３６を備える。また、制御装置３は、Ｉ／ＯＩＦ３４を介して接続される、例えば、キーボード又はマウス等の入力装置３７、プリンタあるいは表示装置等の出力装置３８を備える。  
プロセッサ３０は、ＣＰＵあるいはＭＰＵ等が用いられ、記憶装置３３は、プロセッサ３０により読み出され実行される各種プログラムを格納するＲＯＭ、或いは、プロセッサ３０による演算過程のデータを一時的に格納するＲＡＭ等により実現される。また、記憶装置３３は、各操作者のパスワード、出力装置３８を構成する例えば液晶表示装置あるいはＣＲＴディスプレイ等の各画面の表示レベル、分析パラメータ、分析項目依頼内容、キャリブレーション結果、分析結果等の情報を記憶する。ここで、各種プログラムは、図１に示した、反応容器移送機構制御部４、検体分注制御部５、及び試薬分注制御部６を制御するための制御プログラム、更には、後述する各検体に対する測定スケジュールを設定するプログラム等が含まれる。プロセッサ３０は、内部バス３６を介して記憶装置３３へアクセスし、上記制御プログラムを読み出し実行する。制御プログラムの実行により得られた、反応容器移送機構制御部４への指令、検体分注制御部５への指令、及び試薬分注制御部６への指令は、内部バス３６及び通信ＩＦ３５を介してそれぞれ出力される。また、Ａ／Ｄ変換器７によりデジタル信号に変換された分析項目に対応する測定結果は、通信ＩＦ３５を介して制御装置３内に取り込まれる。取り込まれた測定結果は、分析結果として記憶装置３３に格納されると共に、Ｉ／ＯＩＦを介して出力装置３８へ出力される。
【００１３】
図３に、図２に示す制御装置３の機能ブロック図を示す。図３では、制御装置３が実行する機能のうち、特に、複数の検体に対する測定スケジューリング機能のブロック図を示している。図３に示すように、制御装置３は、測定スケジュールＤＢ３１、検体情報ＤＢ３２、スケジューラ４４、緊急検体受付処理部４５、緊急検体前処理登録部４６、及びリスケジューラ４７を有する。スケジューラ４４は、検体情報ＤＢ３２を参照し、通常検体毎に設定された分析項目の測定を、反応容器測定ポート２０内の測定ポート毎に割り付け（測定スケジュールの作成）、測定スケジュールＤＢ３１に格納する。リスケジューラ４７は、緊急検体受付処理部４５により緊急検体の受け付けが検出されると、当該緊急検体に対する分析項目及び、緊急検体前処理登録部４６にて登録された内容、すなわち、当該緊急検体に対し施されるバーコード貼付、遠心分離、及び検体分取等の準備作業工程（前処理）に基づき、測定スケジュールＤＢに格納されるポート毎の測定スケジュールをリスケジューリングする。
【００１４】
ここで、測定スケジュールＤＢ３１及び検体情報ＤＢ３２内の格納情報について説明する。図４は、検体情報ＤＢ３２に格納される情報の一例を示す図であり、図５は、測定スケジュールＤＢ３１に格納される情報の一例を示す図である。  
図４に示すように、検体情報ＤＢ３２は、測定対象である検体を特定する「検体ＩＤ」毎に、例えば、「分析項目」、「分析時間」、「検体容器位置」、及び分析項目に対応して使用される「試薬」を紐付けて格納する。「検体容器位置」は、図１に示す検体ディスク４０内における検体容器４１の位置を示す情報である。図４に示すように、例えば、「検体ＩＤ」が“ＡＡＡＡ”の検体（通常検体）については、「分析項目」として、“血液凝固項目Ａ”及び“血液凝固項目Ｂ”が設定されている。すなわち、異なる２種類の分析項目の測定を必要とする検体であることを意味している。血液凝固項目Ａの測定に要する時間である「分析時間」は“Ｔ１”であり、血液凝固項目Ｂの測定に要する時間である「分析時間」は“Ｔ２”である。また、「検体容器位置」は、座標“Ｘ１，Ｙ１”であり、この座標にて特定される検体ディスク４０内の検体容器４１内に、「検体ＩＤ」が“ＡＡＡＡ”で特定される通常検体が収容されていることが分かる。また、「試薬」欄に示されるように、血液凝固項目Ａの測定では試薬Ｒ１が、また、血液凝固項目Ｂの測定では試薬Ｒ２が使用されことが分かる。なお、図４では、検体情報ＤＢに格納される情報として、「検体ＩＤ」、「分析項目」、「分析時間」、「検体容器位置」及び「試薬」を示すが、これに限られず、更に、「試薬容器位置」等、必要に応じて適宜格納するよう構成すれば良い。また、「検体容器位置」を特定する情報として（Ｘ，Ｙ）座標を用いる例を示すが、これに代えて、検体ディスク４０に基準位置を設定し、この基準位置からの回転角度にて検体容器４１の位置を特定しても良い。  
また、図４では、「検体ＩＤ」が“ＢＢＢＢ”で特定される通常検体については、「分析項目」は“血液凝固項目Ａ”のみが設定された場合を例示している。ここで、「分析時間」は、上述の反応容器２２への検体分注（吐出）、反応容器測定ポート２０への反応容器２２の設置、試薬分注（反応容器２２への試薬の吐出）、検出部２１による測定、及び測定完了後の反応容器２２の廃棄までに要する時間の総計である。また、例えば、血液凝固項目Ａの測定に要する分析時間Ｔ１は１０分であり、血液凝固項目Ｂの測定に要する分析時間Ｔ２は５分である。
【００１５】
図５に示すように、測定スケジュールＤＢ３１は、反応容器測定ポート２０を構成する「測定ポート」毎に、例えば、「検体ＩＤ」、「分析項目」、「分析時間」、「分析開始時刻（ｔＳ）」、及び「分析終了時刻（ｔＥ）」を紐付けて格納する。図５では、説明の便宜上、「分析項目」として“血液凝固項目Ａ”のみが設定された場合を示している。“測定ポート１”では、「検体ＩＤ」が“ＡＡＡＡ”で特定される通常検体に対し、“１４：５５”より血液凝固時間測定のための分析動作が開始（反応容器２２への検体分注）し、“１５：０５”に分析動作が終了（測定完了後の反応容器２２の廃棄）することを示している。また、同様に、“測定ポート２”では、「検体ＩＤ」が“ＢＢＢＢ”で特定される通常検体に対し、“１４：５６”より血液凝固時間測定のための分析動作が開始し、“１５：０６”に分析動作が終了することを示している。また、図５に示すように、時刻“１５：０５”にて、「検体ＩＤ」が“ＡＡＡＡ”で特定される通常検体の血液凝固時間測定のための分析動作が終了し、空きポートとなる“測定ポート１”には、「検体ＩＤ」が“ＦＦＦＦ”で特定される通常検体の血液凝固項目Ａの測定が割り付けられ、時刻“１５：０５”より血液凝固時間測定のための分析動作が開始される。
【００１６】
このように、スケジューラ４４は、図４に示す検体情報ＤＢ３２を参照し、少なくとも、「検体ＩＤ」、「分析項目」、及び「分析時間」を参照し、反応容器測定ポート２０内の各測定ポートに「検体ＩＤ」及び「分析項目」を割り付けると共に、「分析時間」に基づいて、図５に示す「分析開始時刻（ｔＳ）」及び「分析終了時刻（ｔＥ）」を求め、通常検体の測定スケジュールを作成し、測定スケジュールＤＢ３１に格納する。
【００１７】
図１では、反応容器測定ポート２０にて、血液凝固時間測定のみを行う構成としたが、これに限られない。例えば、反応容器測定ポート２０を用いて、血液凝固時間測定及び生化学分析を行うよう構成しても良い。また、図１に示す自動分析装置２に加え、他に生化学自動分析装置を設置し接続し、自動分析システム１を形成する構成としても良い。  
以下、血液凝固項目Ａを分析項目とし、緊急検体が受け付けられた場合を例に、図面を用いて本発明の実施例について説明する。
【実施例１】
【００１８】
図６は、本発明の一実施例に係る実施例１による緊急検体設置時刻の予約画面の表示例である。緊急検査を行う対象の検体である、緊急検体が検査室に到着すると、図６に示すように、出力装置３８（図２）を構成する表示装置の画面上に、緊急検体設置時刻予約画面２０１及び現在時刻「１５：２０」が表示される。緊急検体設置時刻予約画面２０１は、緊急検体設置予定時刻入力領域２０２と測定項目数入力領域２０３から構成される。ここで、測定項目数とは、緊急検体数のことである。操作者は、緊急検体の測定準備を行う前に、先ず、緊急検体設置時刻入力領域２０２に、自動分析システム１に緊急検体を設置する予定時刻を入力する。また、このとき操作者は、緊急検体数を測定項目数入力欄２０３に入力する。図６では、２体の緊急検体が時刻１５：２０に自動分析システムに設置されることを示している。操作者は、緊急検体設置予定時刻入力領域２０２及び測定項目数入力領域２０３の入力内容に誤りがないことを確認すると、「登録」ボタンをマウス等の入力装置３７によりクリックする。ここで、仮に、入力した緊急検体設置予定時刻及び／又は測定項目数に誤りがある場合には、「キャンセル」ボタンをマウス等によりクリックすることで、再度、緊急検体設置予定時刻入力領域２０２及び測定項目数入力領域２０３に、所望の時刻及び緊急検体数を入力することが可能な状態となる。このように、緊急検体設置時刻予約画面２０１の表示、入力される緊急検体設置予定時刻及び測定項目数の受け付けは、上述の図３に示す緊急検体受付処理部４５にて実行される。  
なお、操作者によって、緊急検体設置予定時刻入力領域２０２に入力される時刻は、緊急検体の測定前に操作者が行う準備作業である、緊急検体の遠心分離、検体容器４１への分取処理、及び分取後の検体容器４１へのバーコードの貼付等が完了し、準備作業完了後の緊急検体を分析システム１に設置しスタートできる時刻となる。ここで、緊急検体設置時刻の入力の仕方として、緊急検体設置予定時刻入力領域２０２に、キーボード等の入力装置３７により直接「時」、「分」を入力する構成あるいは、「時」及び「分」をプルダウンメニューから選択し入力する構成のいずれとしても良い。また、緊急検体を自動分析システム１に設置する予定時刻に替えて、緊急検体を自動分析システム１に設置するまでの時間[分]としても良く、特にその単位に限定はしない。
【００１９】
図７に、緊急検体設置前に行う準備作業設定画面の表示例を示し、図８に、図７に示す設定された準備作業に基づき緊急検体設置予定時刻を推奨表示する画面の表示例を示す。図７に示すように、出力装置３８を構成する表示装置の画面上に、緊急検体設置前準備設定画面３０１が表示される。緊急検体設置前準備設定画面３０１は、前準備作業の登録有無指定領域３０２、前準備作業工程候補表示領域３０３、と前準備作業工程作業時間入力領域３０３から構成される。操作者は、検査室に到着した緊急検体に対し、測定前に行うべき準備作業工程を、前準備作業工程候補表示領域３０３に表示される候補の中から選択し、該当する作業工程候補の左欄の前準備作業の登録有無指定領域３０２にマウス等の入力装置３７を介してチェックし、「登録」ボタンをマウス等によりクリックすることで、緊急検体に対する前準備作業工程を容易に登録できる。図７に示す例では、緊急検体に対する前準備作業工程として、「遠心分離」、「検体分取」、及び「バーコード貼付」が選択された状態を示しており、それぞれの作業時間は「１０分」、「８分」、「２分」である。このように、緊急検体設置前準備設定画面３０１の表示、操作者により選択された前準備作業工程の受け付け、及びその登録処理は、上述の図３に示す緊急検体前処理登録部４６にて実行される。  
図７に示す画面表示状態にて、上述のように「登録」ボタンがクリックされると、図８に示す緊急検体設置時刻予約画面２０１に遷移する。図８に示すように、緊急検体設置時刻予約画面２０１は、図６と同様に、緊急検体設置予定時刻入力領域２０２及び測定項目数入力領域２０３を有する。緊急検体設置時刻予約画面２０１は、更に、緊急検体に対し実施される前準備作業工程表示領域３０５を備える。この前準備作業工程表示領域３０５に表示される情報は、上述の図７にて登録された内容である。また、図８中の緊急検体設置予定時刻入力領域２０１には、図７にて登録された準備作業工程である「遠心分離」、「検体分取」及び「バーコード貼付」に要する作業時間の総計２０分を現在時刻「１５：００」に加算し、自動的に「１５：２０」が推奨時刻として表示される。図７及び図８の表示画面構成及び表示画面遷移とすることで、図６の表示画面構成の場合に比べ、操作者に対する緊急検体設置予定時刻入力の負荷が軽減される。
【００２０】
図９は、制御装置３（図１）の処理フローであって、緊急検体割り込みによる通常検体分析可否判定処理フロー図である。  
上述の図６又は図８にて、「登録」ボタンがマウス等によりクリックされると、自動分析システム１は、緊急検体が設置される時刻と測定項目数（緊急検体数）を予め把握でき、緊急検体設置後、直ちに分析開始できるよう通常検体の測定スケジュールの割付チェックを開始する。  
図３に示す制御装置３を構成するリスケジューラ４７は、測定スケジュールＤＢ３１を参照し、反応容器測定ポート２０を構成する測定ポートｉの分析完了時刻（分析終了時刻ｔＥ）を算出する（ステップＳ１１）。リスケジューラ４７は、ステップＳ１１にて算出された測定ポートｉの分析完了時刻が、緊急検体受付処理部４５から取得される緊急検体設置予定時刻以下か否かを判定する（ステップＳ１２）。判定の結果、測定ポートｉの分析完了時刻が緊急検体設置予定時刻以下の場合にはステップＳ１３へ進む。また、判定の結果、測定ポートｉの分析完了時刻が緊急検体設置予定時刻より大の場合には、後述するステップＳ１６へ進む。  
ステップＳ１３において、リスケジューラ４７は、Ｎ＝ｉか否かを判定する。すなわち、リスケジューラ４７は、ステップＳ１１及びステップＳ１２の処理を、反応容器測定ポート２０が有する全ての測定ポート（Ｎ個）について実行したか否かを判定する。ここで、図１に示す場合を一例とし、Ｎは５である。判定の結果、Ｎ＝ｉでない場合、ステップＳ１４へ進みｉを１インクリメント（ｉ＝ｉ＋１）し、ステップＳ１１へ戻る。また、判定の結果、全ての測定ポートについてステップＳ１１及びステップＳ１２の処理が完了している場合（Ｎ＝ｉの場合）、ステップＳ１５へ進む。
【００２１】
ステップＳ１５にて、リスケジューラ４７は、緊急検体用に使用可能な測定ポート数をカウントする。続いて、ステップＳ１６にて、緊急検体の分析に必要な測定ポート数が、緊急検体設置予定時刻に使用可能な測定ポート数（ステップＳ１５で得られた測定ポート数）以上か否かを、リスケジューラ４７が判定する。判定の結果、緊急検体の分析に必要な測定ポート数よりも、緊急検体設置予定時刻に使用可能な測定ポート数が大の場合、ステップＳ１８に進む。また、判定の結果、緊急検体の分析に必要な測定ポート数が、緊急検体設置予定時刻に使用可能なポート数以上の場合には、ステップＳ１７に進む。  
ステップＳ１７では、今回の通常検体の分析完了時刻が緊急検体設置予定時刻以下か否かを、リスケジューラ４７が判定する。判定の結果、今回の通常検体の分析完了時刻が緊急検体設置予定時刻以下の場合、ステップＳ１８に進む。また、今回の通常検体の分析終了時刻が緊急検体設置予定時刻より大の場合には、ステップＳ１９に進み、通常検体分析不可として、今回、通常検体の測定スケジュールを測定ポートに割り付けることなく処理を終了する。  
ステップＳ１８では、リスケジューラ４７は、本タイミングで通常検体の分析を行っても、緊急検体設置時の分析に影響を与えないことから、通常検体分析可能とし、当該今回の通常検体に対応する通常検体測定スケジュールを、測定スケジュールＤＢ３１に登録し、通常検体の測定スケジュール割付チェックを終了する。
【００２２】
図１０は、緊急検体到着時における各測定ポートでの分析状況を示すタイミングチャートである。図１０に示すように、現在時刻が「１５：００」のときの緊急検体到着時の分析状況４０１では、図６又は図８にて登録された緊急検体の設置予定時刻が１５：２０の状況で、「分析時間」が１０分である通常検体の測定を連続して実施している状況である。この状況は、上述の図５に示す測定スケジュールＤＢ３１に格納される、１行目“測定ポート１”〜５行目“測定ポート５”のように、スケジューラ４４が測定ポート毎に通常検体の測定スケジュールを割り付けた状況に対応する。また、図１０に示す状況では、図９に示すステップＳ１６において、リスケジューラ４７は、緊急検体の分析に必要なポート数は２個、緊急検体到着予定時刻「１５：２０」に使用可能な測定ポート数は５個であり、ステップＳ１８に進み、通常検体分析可能とし、通常検体の測定スケジュールを割り付ける。
【００２３】
図１１は、図１０に示す状態から通常検体分析を継続した場合における各測定ポートでの分析状況を示すタイミングチャートである。図１１では、仮に、図９に示す通常検体の測定スケジュールの割付チェックを行うことなく、各測定ポートに、通常検体の測定スケジュールを継続的に割り付けた場合の状況を示している。図１１の通常検体の分析を継続した場合の緊急検体設置予定時刻の状況４０２に示すとおり、緊急検体設置予定時刻「１５：２０」には、反応容器測定ポート２０を構成する測定ポート１〜測定ポート５の全てにおいて空きがない。従って、このような状況下で仮に緊急検体を自動分析システム１に設置しても、測定ポートに空きが生ずる「１５：２５」まで、緊急検体に対する分析を着手できず、５分間のロスが発生してしまう。しかも、図６又は図８にて登録された「測定項目数（緊急検体数）」は２個であることから、更に、測定ポート２に空きが生ずる「１５：２６」まで２個目の緊急検体に対する分析を着手することができない。  
これに対し、上述の図９に示すリスケジューラ４７による通常検体測定スケジュール割付チェックを行うことにより、図１２に示すリスケジューリング後における緊急検体到着時の各測定ポートでの分析状況を示すタイミングチャートとなる。すなわち、図１２に示すように、登録された緊急検体設置予定時刻「１５：２０」において、測定ポート４及び測定ポート５は空き状態となり、緊急検体の分析に必要な測定ポート数（２個）分だけ測定ポートが確保され、２個の緊急検体を自動分析システム１に設置すると、直ちに分析に着手でき、緊急検体に対する分析結果を迅速に報告することが可能となる。
【００２４】
以下、更に、現在時刻の経過と共に、各測定ポートでの分析状況を説明する。図１３は、図１０に示す状態から５分経過後の状態、すなわち、現在時刻が「１５：０５」における緊急検体設置予定時刻登録後の通常検体分析割付の状況を示すタイミングチャートである。図１３の現在時刻１５：０５の分析状況５０１に示すように、測定ポート１で測定していた通常検体の分析が完了し、測定ポート１は空き状態となることから、次の通常検体の分析で使用可能となる。ここで、通常の場合は、スケジューラ４４が検体情報ＤＢ３２及び測定スケジュールＤＢ３１を参照し、空き状態の測定ポート１に対し、次の通常検体の測定スケジュールを割り付ける。しかし、時刻「１５：００」にて、図６又は図８に示すように、緊急検体設置予約時間「１５：２０」が登録されているため、リスケジューラ４７は、上述の図９に示す通常検体の測定スケジュール割付チェック処理を実行する。図９に示すステップＳ１１〜ステップＳ１６までの処理を実行することにより、図１３に示す状況では、緊急検体の分析に必要な測定ポート数は「２個」、緊急検体設置予定時刻「１５：２０」に使用可能なポート数は「５個」であり、ステップＳ１８にて、全ての測定ポート１〜測定ポート５にて通常検体分析可能とし、各測定ポートへ次の通常検体の測定スケジュールを割り付け、通常検体の分析を継続して実施させる。なお、ここでの通常検体の測定は、「分析項目」が“血液凝固項目Ａ”であり、「分析時間」がＴ１＝１０分である。
【００２５】
次に、図１３に示す状態から１１分経過後の状態、すなわち、現在時刻が「１５：１６」における緊急検体設置予定時刻登録後の通常検体分析割付の状況を示すタイミングチャートを図１４に示す。同様にリスケジューラ４７は、図９のステップＳ１１〜ステップＳ１６までの処理を実行する。このとき、測定ポート１は、通常検体の分析終了時刻（ｔＥ）が「１５：２５」と、緊急検体設置予定時刻である「１５：２０」を超えているため、緊急検体設置予定時刻に使用可能な測定ポート数は「４個」となる。しかし、緊急検体の分析に必要な測定ポート数は「２個」であるため、まだ使用可能な測定ポート数の方が多いことから、図１３の場合と同様に、緊急検体設置時の分析に影響を与えないことから、測定ポート２へ次の通常検体の測定スケジュールを割り付け、通常検体の分析を開始させる。同様に、通常検体の分析終了時刻（ｔＥ）が「１５：１７」である測定ポート３へ次の通常検体の測定スケジュールを割り付け、通常検体の分析を開始させる。  
続いて、図１４に示す状態から２分経過後の状態、すなわち、現在時刻が「１５：１８」における緊急検体設置予定時刻登録後の通常検体分析割付の状況を示すタイミングチャートを図１５に示す。同様にリスケジューラ４７は、図９のステップＳ１１〜ステップＳ１６までの処理を実行する。このとき、測定ポート１は通常検体の分析終了時刻（ｔＥ）が「１５：２５」、測定ポート２は通常検体の分析終了時刻（ｔＥ）が「１５：２６」、及び測定ポート３は通常検体の分析終了時刻（ｔＥ）が「１５：２７」であり、いずれも、緊急検体設置予定時刻である「１５：２０」を超えており、緊急検体設置予定時刻に使用可能な測定ポート数は、測定ポート４及び測定ポート５の「２個」となる。従って、ステップＳ１６では、緊急検体の分析に必要な測定ポート数と緊急検体設置予定時刻に使用可能な測定ポート数が同一であることから、ステップＳ１７に進む。  
ステップＳ１７では、リスケジューラ４７は次のように判定する。すなわち、測定ポート４に今回、次の通常検体の測定スケジュールを割り付けると、「分析時間」が１０分であることから、測定ポート４での通常検体の分析終了時刻（ｔＥ）は「１５：２８」となる。また、同様に測定ポート５に今回、次の通常検体の測定スケジュールを割り付けると、測定ポート５での通常検体の分析終了時刻（ｔＥ）は「１５：２９」となり、これら測定ポート４及び測定ポート５での通常検体の分析終了時刻が緊急検体設置予定時刻「１５：２０」を超過することから、ステップＳ１９へ進み、測定ポート４及び測定ポート５へ通常検体の測定スケジュールを割り付けることなく、割り付けチェックを終了する。すなわち、測定ポート４及び測定ポート５に対する通常検体の測定スケジュールの割付が待機状態となる。これにより、緊急検体設置予定時刻「１５：２０」に到達時、緊急検体を自動分析システム１に設置後、直ちに、緊急検体の分析を開始できる状況を確保できる。  
図１６に、図１５に示す状態から更に２分経過後、すなわち、現在時刻が登録された緊急検体設置予定時刻「１５：２０」に達した時点での通常検体分析割付お状況を示すタイミングチャートである。図１６の測定ポート４の分析スケジュールより明らかなように、緊急検体が自動分析システム１に設置後、直ちに緊急検体の分析が開始される。
【００２６】
なお、上述のとおり図９に示すステップＳ１７では、今回の通常検体の分析完了時刻（測定スケジュールＤＢ３１に格納される分析終了時刻（ｔＥ））を、図６又は図８にて登録された緊急検体の設置予定時刻と比較することにより、通常検体の測定スケジュールの割付け可否を判定する構成としたが、これに限られるものではない。例えば、登録された緊急検体の設置予定時刻に、予め定めた時間（Δｔ）の差分を求め、ステップＳ１７にて、リスケジューラ４７が、「今回の通常検体の分析完了時刻≦（登録された緊急検体設置予定時刻―Δｔ）」の関係を満たすか否かを判定する構成としても良い。この場合、Δｔは、例えば、１分から２分の間で設定することが望ましい。これにより、通常検体の分析スループットを維持しつつ、緊急検体設置後、直ちに緊急検体の分析を開始することがより確実となる。  
また、図４に示したように、同一の検体に対し、「血液凝固項目Ａ」及び「血液凝固項目Ｂ」等の異なる種類の分析項目が設定され、或いは、異なる検体に、それぞれ異なる分析項目の測定が設定されている場合、「分析項目」に応じて「分析時間」が異なる。従って、このような場合において、図９に示すステップＳ１７にて、仮に、ある「分析項目」に対応する通常検体の分析完了時刻が、緊急検体設置予定時刻を超過すると判定された場合、当該「分析項目」に代えて、「分析時間」の短い他の「分析項目」であれば登録された緊急検体設置予定時刻「１５：２０」以内に、分析が完了する場合、上記他の「分析項目」に入れ替え、通常検体の測定スケジュールを割り付ける構成としても良い。この場合、例えば、「分析項目」が“血液凝固項目Ａ”（分析時間１０分）から“血液凝固項目Ｂ”（分析時間５分）に入れ替えられる。
【００２７】
図１７は、緊急検体の設置が登録された緊急検体設置予定時刻を超過する場合における通常検体分析割付の状況を示すタイミングチャートである。図１７は、現在時刻「１５：２５」における分析状況５０５を示しており、登録された緊急検体設置予定時刻「１５：２０」を超過しても、緊急検体が自動分析システム１に設置されない場合を示している。このように、緊急検体設置予定時刻を超過しても、緊急検体が設置されない状況が発生する要因として、例えば、操作者によるバーコード貼付ミスによる貼り直し作業、遠心分離後の検体分取は人手による作業であるため、分取作業を誤った場合、再度分取する必要が生じ、その作業時間分、前処理後の緊急検体が自動分析システム１へ設置される時刻が遅れることになる。図１７に示す状況で、リスケジューラ４７は、図９に示す通常検体の測定スケジュール割付チェックにおいて、スッテプＳ１２、ステップＳ１６及びステップＳ１７における、登録された緊急検体設置予定時刻を現在時刻に置き換え、同様の処理を実行する。換言すれば、図１７に示す状況では、登録された緊急検体設置予定時刻が現在時刻である「１５：２５」の時点に移動させることとなる。「１５：２５」に緊急検体設置予定時刻が移動されたことにより、ステップＳ１５までの処理にて、使用可能な測定ポート数は「３個」となる。これら３個の測定ポートは、緊急検体測定用に既に通常検体の測定スケジュール割付が待機中の測定ポート４及び測定ポート５、及び更に、通常検体の分析が完了し、空きポートとなる測定ポート１である。また、その後の、ステップＳ１６〜ステップＳ１８の処理を実行することにより、測定ポート１に、通常検体の測定スケジュールが割り付けられる。これより、測定ポート１での通常検体の分析が直ちに開始される。このように、仮に操作者による緊急検体の前準備作業が遅れ、自動分析システム１への緊急検体設置に遅れが生じた場合であっても、緊急検体設置予定時刻を現在時刻に追従させて移動させることで、反応容器測定ポート２０を構成する測定ポートに余裕ができた時点で、通常検体の分析を行うことができ、緊急検体の設置待ちによる通常検体の分析スループットの低下を最小限にすることができる。
【００２８】
なお、本実施例では、図９に示す通常検体の測定スケジュール割付チェックを、図３に示すリスケジューラ４７が実行する場合を例に説明したが、これに限られるものではなく、図３に示すスケジューラ４４が通常検体の測定スケジュール割付チェックを実行するよう構成しても良い。
【００２９】
本実施例によれば、個々の測定を独立して行う測定ポートを有する自動分析システムにおいて、通常検体の分析スループットを維持しつつ、緊急検体への対応を可能とする自動分析システムを提供することが可能となる。  
また、本実施例によれば、前準備作業が完了した緊急検体を自動分析システムに設置後、直ちに、当該緊急検体の分析を開始できるため、緊急検体測定開始までの時間的ロスを抑制し、緊急検体の測定結果を迅速に報告することができる。  
更にまた、本実施例によれば、登録される緊急検体設置予定時刻までに尤度がある場合には、通常検体の分析を継続することができるため、通常検体の分析スループットを維持することができる。
【００３０】
また、緊急検体の分析に必要な測定ポートの数、および、通常検体の分析に要する時間（分析時間）から、各測定ポートへの通常検体の測定スケジュール割付可否を判定する構成であるため、測定ポート数の拡張、緊急検体を専用に測定する測定ポートを設置する必要がなく、自動分析システム全体での大型化を回避できる。
【実施例２】
【００３１】
図１８は、本発明の他の実施例に係る実施例２による緊急検体設置時刻の予約画面の表示例である。本実施例では、操作者による緊急検体の登録時に、緊急検体設置予定時刻に緊急検体を直ちに分析開始可能か否か、また、緊急検体の分析開始可能時刻を操作者へ提供する構成とした点が実施例１と異なる。その他の構成は、実施例１と同様であるため、以下では実施例１と重複する説明は省略する。  
緊急検体が検査室に到着すると、図１８に示すように、出力装置３８（図２）を構成する表示装置の画面上に、緊急検体設置時刻予約画面６０１及び現在時刻「１５：００」が表示される。緊急検体設置時刻予約画面６０１は、緊急検体設置予定時刻入力領域６０２、測定項目数（緊急検体数）入力領域、及び緊急検体に対し、測定前に行うべき準備作業工程を入力及び／又は表示する領域から構成される。ここで、緊急検体に対し、その測定前に行うべき準備作業工程の設定については、上述の実施例１にて説明した図７と同様に行われる。
【００３２】
図１８の上段に示す緊急検体設置時刻予約画面６０１では、緊急検体設置予定時刻として、「１５：０２」、測定項目数（緊急検体数）「２個」、緊急検体に対する準備作業工程として、「バーコード貼付」のみが指定入力された状態を示している。この状態で、操作者によるマウス等のクリックにより「登録」ボタンが指定されると、仮に、登録された緊急検体設置予定時刻に緊急検体の分析を直ちに開始できない場合、図１８の下段に示す登録確認画面６０３が表示される。図１８に示すように、登録確認画面６０３には、登録された緊急検体設置予定時刻「１５：０２」に緊急検体の分析を開始できない旨のメッセージ、及び、緊急検体測定可能時刻として「１５：０６（４分超過）」が表示される。これにより操作者は、先に緊急検体設置予定時刻として入力した「１５：０２」より４分遅れで、緊急検体の分析が開始される状況で問題無き場合には、「登録」ボタンをマウス等によりクリックすれば良い。
【００３３】
次に、図１８の上段に示す緊急検体設置時刻予約画面６０１にて、緊急検体設置予定時刻及び測定項目数が入力され、「登録」ボタンへの入力に応じて、リスケジューラ４７が実行する登録前チェック処理について説明する。図１９に、緊急検体着手可能時刻を求める登録前チェック処理のフロー図を示す。図１９において、ステップＳ１１〜ステップＳ１６までの処理は、上述の実施例１にて説明した図９のフロー図と同様であるため、ここでは説明を省略する。ステップＳ１６にて、緊急検体の分析に必要な測定ポート数が、緊急検体設置予定時刻に使用可能な測定ポート数よりも少ない場合、その時点で登録前チェック処理を終了する。一方、緊急検体の分析に必要な測定ポート数が、緊急検体設置予定時刻に使用可能な測定ポート数以上の場合には、ステップＳ２０へ進む。  
ステップＳ２０では、リスケジューラ４７は、検体情報ＤＢ３２及び測定スケジュールＤＢ３１を参照し、測定ポートｉの分析完了時刻（分析終了時刻（ｔＥ））を算出する。続いて、ステップＳ２１にて、リスケジューラ４７は、Ｎ＝ｉか否かを判定する。判定の結果、Ｎ＝ｉでない場合、ステップＳ２２へ進み、ｉを１インクリメント（ｉ＝ｉ＋１）し、スッテプＳ２０へ戻る。また、判定の結果、全ての測定ポートに対しステップＳ２０の処理が完了（Ｎ＝ｉの場合）している場合、ステップＳ２３へ進む。
【００３４】
ステップＳ２３では、リスケジューラ４７は、ステップＳ２０にて算出された各測定ポートの分析完了時刻（分析終了時刻（ｔＥ））を昇順にソートし、次のステップＳ２４へ進む。ステップＳ２４では、緊急検体の分析に必要な測定ポート数に対応する測定ポートにおける通常検体の分析完了時刻を、「緊急検体着手可能時刻」とする。ステップＳ２５では、登録確認画面６０３に「緊急検体着手可能時刻」を表示するよう、リスケジューラ４７は、得られた「緊急検体着手可能時刻」を図２に示す、内部バス３３、Ｉ／ＯＩＦ３４を介して、出力装置３８を構成する表示装置へ出力する。
【００３５】
図２０は、図１８に示す現在時刻「１５：００」における各測定ポートでの分析状況を示すタイミングチャートである。緊急検体設置予定時刻「１５：０２」において、図１９に示すステップＳ１６の処理により、緊急検体の分析に必要な測定ポート数は「２個」であり、緊急検体設置予定時刻に使用可能なポート数は「０個」である。但し、ステップＳ２０〜ステップＳ２４までの処理をリスケジューラ４７が実行することにより、測定ポート１は、時刻「１５：０５」に通常検体の分析を完了し空きポートとなること、及び、測定ポート２は、時刻「１５：０６」に通常検体の分析を完了し空きポートとなることが得られる。よって、２個の緊急検体の測定スケジュールを、上記測定ポート１及び測定ポート２に割り付けることが可能となることから、「緊急検体測定可能時刻」として、時刻「１５：０６」が登録確認画面６０３に表示される。
【００３６】
なお、本実施例では、登録前チェック処理をリスケジューラ４７にて実行する構成としたが、これに限られず、例えば、スケジューラ４４が上述の登録前チェック処理を実行する構成としても良い。
【００３７】
本実施例によれば、実施例１の効果に加え、更に、操作者が緊急検体設置予定時刻を登録する時点で、緊急検体設置予定時刻に、直ちに分析を開始することが可能か否か容易に確認することが可能となる。  
また、例えば、分析時間の長い分析項目を測定している場合、又は、前準備作業が不要な緊急検査が依頼された場合等において、緊急検体設置予定時刻を登録する時点で、既に予定時刻に緊急検体の分析に必要な測定ポート数が確保できないケースが生じ得る。このようなケースが生じた場合において、本実施例によれば、緊急検査を行う前に、操作者は予め遅れることを把握することが可能となり、他の自動分析システムあるいは自動分析装置により、当該緊急検体を測定すべきが、即座に判断でき、早期対処が可能となる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の実施例の構成の追加・削除・置換をすることが可能である。
【符号の説明】
【００３９】
１…自動分析システム
２…自動分析装置
３…制御装置
４…反応容器移送機構制御部
５…検体分注制御部
６…試薬分注制御部
７…Ａ/Ｄ変換器
２０…反応容器測定ポート
２１…検出部
２２…反応容器
２３…反応容器供給部
２４…凝固時間検体分注ポジション
２５…反応容器移送機構
２６…試薬分注機構
２７…反応容器廃棄部
２８…検体分注機構
３０…プロセッサ
３１…測定スケジュールＤＢ
３２…検体情報ＤＢ
３３…記憶装置
３４…Ｉ／Ｏインターフェース（ＩＦ）
３５…通信インターフェース（ＩＦ）
３６…内部バス
３７…入力装置
３８…出力装置
４０…検体ディスク
４１…検体容器
４２…試薬ディスク
４３…試薬容器
４４…スケジューラ
４５…緊急検体受付処理部
４６…緊急検体前処理登録部
４７…リスケジューラ
２０１…緊急検体設置時刻予約画面
２０２…緊急検体設置予定時刻入力領域
２０３…測定項目数入力領域
３０１…緊急検体設置前準備設定画面
３０２…前準備作業の登録有無指定領域
３０３…前準備作業工程候補表示領域
３０４…前準備作業工程作業時間入力領域
３０５…緊急検体に対し実施される前準備作業工程表示領域
４０１…緊急検体到着時の分析状況
４０２…通常検体の分析を継続した場合の緊急検体設置予定時刻の分析状況
４０３…リスケジューリング後の緊急検体設置予定時刻の分析状況
５０１…現在時刻１５：０５の分析状況
５０２…現在時刻１５：１６の分析状況
５０３…現在時刻１５：１８の分析状況
５０４…現在時刻１５：２０の分析状況
５０５…現在時刻１５：２５の分析状況
６０１…緊急検体設置時刻予約画面
６０２…緊急検体設置予定時刻入力領域
６０３…登録確認画面
６０４…緊急検体測定可能時刻の表示領域
７０１…緊急検体到着時の分析状況
【図１】
0006476003.tif 000002
【図２】
0006476003.tif 000003
【図３】
0006476003.tif 000004
【図４】
0006476003.tif 000005
【図５】
0006476003.tif 000006
【図６】
0006476003.tif 000007
【図７】
0006476003.tif 000008
【図８】
0006476003.tif 000009
【図９】
0006476003.tif 000010
【図１０】
0006476003.tif 000011
【図１１】
0006476003.tif 000012
【図１２】
0006476003.tif 000013
【図１３】
0006476003.tif 000014
【図１４】
0006476003.tif 000015
【図１５】
0006476003.tif 000016
【図１６】
0006476003.tif 000017
【図１７】
0006476003.tif 000018
【図１８】
0006476003.tif 000019
【図１９】
0006476003.tif 000020
【図２０】
0006476003.tif 000021